(57)【特許請求の範囲】
【請求項１】
プレキャストコンクリート梁とプレキャストコンクリート柱とを、プレキャストコンクリート梁又はプレキャストコンクリート柱の一方に設けられた鉄筋を、プレキャストコンクリート梁又はプレキャストコンクリート柱の他方に設けられた継手部材に挿入するプレキャストコンクリート部材の建て込み方法であって、
前記プレキャストコンクリート梁及び前記プレキャストコンクリート柱の少なくとも何れか一方を、本来の建て込み位置から水平方向にずらした状態で、前記プレキャストコンクリート梁又は前記プレキャストコンクリート柱の一方に設けられた前記鉄筋の先端を、前記プレキャストコンクリート梁又は前記プレキャストコンクリート柱の他方に設けられた前記継手部材に挿入し、
前記プレキャストコンクリート梁及び前記プレキャストコンクリート柱を、本体の建て込み位置に向けて移動させながら、前記鉄筋を前記継手部材に挿入していくことにより、前記プレキャストコンクリート梁及び前記プレキャストコンクリート柱を本来の建て込み位置に建て込み、
さらに、前記プレキャストコンクリート柱を貫通させた鉄筋を、前記プレキャストコンクリート柱の下方のコンクリート部材に設けられた継手部材に挿入し、又は、前記プレキャストコンクリート柱を貫通させたねじ鉄筋を、前記プレキャストコンクリート柱の下方のコンクリート部材に設けられた継手部材にねじ込むことを特徴とするプレキャストコンクリート部材の建て込み方法。
【請求項２】
１本の前記プレキャストコンクリート柱と、該１本のプレキャストコンクリート柱に対して、異なる２方向から接合される２本の前記プレキャストコンクリート梁とを有し、
前記１本のプレキャストコンクリート柱、及び前記２本のプレキャストコンクリート梁を、本来の建て込み位置から水平方向にずらした状態で、それらを同時に本来の建て込み位置に向けて移動させることにより前記鉄筋を前記継手部材に挿入し、前記１本のプレキャストコンクリート柱及び前記２本のプレキャストコンクリート梁を本来の建て込み位置に建て込むことを特徴とする請求項１に記載のプレキャストコンクリート部材の建て込み方法。
【請求項３】
プレキャストコンクリート梁とプレキャストコンクリート柱とを、プレキャストコンクリート梁又はプレキャストコンクリート柱の一方に設けられた鉄筋を、プレキャストコンクリート梁又はプレキャストコンクリート柱の他方に設けられた継手部材に挿入するプレキャストコンクリート部材の建て込み方法であって、
前記プレキャストコンクリート梁及び前記プレキャストコンクリート柱の少なくとも何れか一方を、本来の建て込み位置から水平方向及び上下方向にずらした状態で、前記プレキャストコンクリート梁又は前記プレキャストコンクリート柱の一方に設けられた前記鉄筋の先端を、前記プレキャストコンクリート梁又は前記プレキャストコンクリート柱の他方に設けられた前記継手部材に挿入し、
前記プレキャストコンクリート梁及び前記プレキャストコンクリート柱を、本体の建て込み位置に向けて移動させながら、前記鉄筋を前記継手部材に挿入していくことにより、前記プレキャストコンクリート梁及び前記プレキャストコンクリート柱を本来の建て込み位置に建て込み、
この際に、前記プレキャストコンクリート柱の下方のコンクリート部材に設けられた鉄筋を、前記プレキャストコンクリート柱の下端に設けられた継手部材に挿入することを特徴とするプレキャストコンクリート部材の建て込み方法。
【請求項４】
請求項１〜３の何れか１項に記載のプレキャストコンクリート部材の建て込み方法により構築されることを特徴とするプレキャストコンクリート柱梁架構。
【発明の詳細な説明】
【技術分野】
【０００１】
本発明は、プレキャストコンクリート部材の建て込み方法及びプレキャストコンクリート柱梁架構に関する。
【背景技術】
【０００２】
プレキャストコンクリート部材の建て込み方法の一例として、図１２（ｈ）に示すように、複数本のプレキャストコンクリート柱（ＰＣ柱１−１〜１−６）を複数箇所（６箇所）に建て込み、これらＰＣ柱１−１〜１−６間、にそれぞれプレキャストコンクリート梁（ＰＣ梁２−１〜２−７）を建て込んだプレキャストコンクリート柱梁架構（ＰＣ柱梁架構）がある（例えば、特許文献１参照。）。
【０００３】
このような構成のＰＣ柱梁架構は、例えば、図１２（ａ）に示すように、図中左上のＰＣ柱１−１の上部に仕口部３−１を配置し、この仕口部３−１の図中右方に、ＰＣ梁２−１、仕口部３−２、ＰＣ梁２−２、及び仕口部３−３をそれらの順に配置し、それらの部材を図中左方に水平移動させて、各仕口部３−１〜３−３の梁主筋継手（図示せず）内に各ＰＣ梁２−１〜２−２の梁主筋を挿入することにより、各仕口部３−１〜３−３と各ＰＣ梁２−１〜２−２とを接続する。
【０００４】
また、この際に、各仕口部３−１〜３−３の貫通孔（図示せず）内に上方から中継筋（図示せず）を挿入し、この中継筋を各ＰＣ柱１−１〜１−３の柱主筋継手（図示せず）内に挿入することにより、各仕口部３−１〜３−３を各ＰＣ柱１−１〜１−３に接続する。
【０００５】
次に、図１２（ｂ）に示すように、各ＰＣ柱１−１〜１−３上に設けられた３つの仕口部３−１〜３−３の図中下方にそれぞれＰＣ梁２−３〜２−５を配置し、これらのＰＣ梁２−３〜２−５を図中上方に水平移動させ、各ＰＣ梁２−３〜２−５の梁主筋を各仕口部３−１〜３−３の梁主筋継手内に挿入することにより、各仕口部３−１〜３−３に各ＰＣ梁２−３〜２−５を接続する。
【０００６】
次に、図１２（ｂ）に示すように、ＰＣ梁２−３及びＰＣ梁２−４の図中下方にそれぞれ仕口部３−４、３−５を配置し、各仕口部３−４、３−５を図中上方に水平移動させ、各仕口部３−４、３−５の梁主筋継手内に各ＰＣ梁２−３、２−４の梁主筋を挿入することにより、各ＰＣ梁２−３、２−４に各仕口部３−４、３−５を接続する。
【０００７】
次に、図１２（ｃ）及び図１２（ｄ）に示すように、仕口部３−４と仕口部３−５との間に、両端部に梁主筋継手が埋設されたＰＣ梁２−６を上方から落とし込み、図中左側の仕口部３−４の貫通孔内に左方から定着具を備えた中継筋（図示せず）を挿入し、この中継筋をＰＣ梁２−６の梁主筋継手内に挿入することにより、ＰＣ梁２−６を仕口部３−４に接続する。
【０００８】
次に、図１２（ｅ）に示すように、仕口部３−５の図中右方にＰＣ梁２−７を配置し、このＰＣ梁２−７を図中左方へ水平移動させ、このＰＣ梁２−７の梁主筋を仕口部３−５の梁主筋継手内に挿入することにより、仕口部３−５にＰＣ梁２−７を接続する。
【０００９】
そして、最後に、図１２（ｆ）〜図１２（ｈ）に示すように、ＰＣ梁２−５とＰＣ梁２−７との間に仕口部３−６を配置し、図中右方から仕口部３−６の貫通孔内に定着具を備えた中継筋（図示せず）を挿入し、この中継筋をＰＣ梁２−７の梁主筋継手内に挿入し、図中下方から仕口部３−６の貫通孔内に定着具を備えた中継筋（図示せず）を挿入し、この中継筋をＰＣ梁２−５の梁主筋継手内に挿入することにより、仕口部３−６とＰＣ梁２−７及びＰＣ梁２−５とを接続する。
【００１０】
このようにして、既に建て込んである複数本のＰＣ柱１−１〜１−６の隣接するＰＣ柱間１−１〜１−２、……、１−５〜１−６にそれぞれＰＣ梁２−１〜２−７を建て込むことができ、格子状のＰＣ柱梁架構１を構築することができる。
【００１１】
ところで、上記のような構成のＰＣ柱梁架構１にあっては、最後のコーナー部において、ＰＣ梁２−５及びＰＣ梁２−７と仕口部３−６とを相互に接続する際に、仕口部３−６の貫通孔内に定着具を備えた中継筋を二方向（図中左右、上下方向）から挿入し、その中継筋をＰＣ梁２−５及びＰＣ梁２−７の梁主筋継手内に挿入する作業が必要になる。
【００１２】
このため、重量物である仕口部３−６を、中継筋のＰＣ梁２−５及びＰＣ梁２−７の梁主筋継手内への挿入が完了するまで、仕口部３−６の貫通孔とＰＣ梁２−５及びＰＣ梁２−７の梁主筋継手とを合わせた状態に支持し続けなければならず、非常に手間のかかる作業となる。
【００１３】
また、仕口部３−６の貫通孔内に定着具を備えた中継筋を二方向（図中左右、上下方向）から挿入した後に、その外側にコンクリートを打設して仕口部３−６と一体化しなければならず、その作業に非常に手間がかかる。
【００１４】
さらに、仕口部３−６、ＰＣ梁２−５、又はＰＣ梁２−７梁の何れかを、施工上の問題から現場打ち工法によって製作することもあり、そのような場合には、型枠の設置、配筋、コンクリートの打設、型枠の撤去等の作業が必要になり、その作業に非常に手間がかかる。
【先行技術文献】
【特許文献】
【００１５】
【特許文献１】特開２００６−２２４９４号公報
【発明の概要】
【発明が解決しようとする課題】
【００１６】
本発明は、上記のような従来の問題に鑑みなされたものであって、建て込みに要する手間を大幅に削減することができるプレキャストコンクリート部材の建て込み方法及びプレキャストコンクリート柱梁架構を提供することを目的とする。
【課題を解決するための手段】
【００１７】
上記のような課題を解決するために、本発明は、以下のような手段を採用している。
すなわち、本発明は、プレキャストコンクリート梁とプレキャストコンクリート柱とを、プレキャストコンクリート梁又はプレキャストコンクリート柱の一方に設けられた鉄筋を、プレキャストコンクリート梁又はプレキャストコンクリート柱の他方に設けられた継手部材に挿入するプレキャストコンクリート部材の建て込み方法であって、前記プレキャストコンクリート梁及び前記プレキャストコンクリート柱の少なくとも何れか一方を、本来の建て込み位置から水平方向にずらした状態で、前記プレキャストコンクリート梁又は前記プレキャストコンクリート柱の一方に設けられた前記鉄筋の先端を、前記プレキャストコンクリート梁又は前記プレキャストコンクリート柱の他方に設けられた前記継手部材に挿入し、前記プレキャストコンクリート梁及び前記プレキャストコンクリート柱を、本体の建て込み位置に向けて移動させながら、前記鉄筋を前記継手部材に挿入していくことにより、前記プレキャストコンクリート梁及び前記プレキャストコンクリート柱を本来の建て込み位置に建て込み、さらに、前記プレキャストコンクリート柱を貫通させた鉄筋を、前記プレキャストコンクリート柱の下方のコンクリート部材に設けられた継手部材に挿入し、又は、前記プレキャストコンクリート柱を貫通させたねじ鉄筋を、前記プレキャストコンクリート柱の下方のコンクリート部材に設けられた継手部材にねじ込むことを特徴とする。
【００１８】
本発明のプレキャストコンクリート部材の建て込み方法によれば、プレキャストコンクリート梁及びプレキャストコンクリート柱の少なくとも何れか一方を、本来の建て込み位置から水平方向にずらした状態で、プレキャストコンクリート梁又はプレキャストコンクリート柱の一方に設けられた鉄筋の先端を、プレキャストコンクリート梁又はプレキャストコンクリート柱の他方に設けられた継手部材に挿入する。
そして、プレキャストコンクリート梁及びプレキャストコンクリート柱を、本体の建て込み位置に向けて移動させながら鉄筋を継手部材に挿入していき、鉄筋を継手部材に完全に挿入することにより、プレキャストコンクリート梁及びプレキャストコンクリート柱を本来の建て込み位置に建て込むことができる。
さらに、プレキャストコンクリート柱を貫通させた鉄筋を、プレキャストコンクリート柱の下方のコンクリート部材に設けられた継手部材に挿入することにより、又は、プレキャストコンクリート柱を貫通させたねじ鉄筋を、プレキャストコンクリート柱の下方のコンクリート部材に設けられた継手部材にねじ込むことにより、プレキャストコンクリート柱をその下方のコンクリート部材に接続できる。
【００１９】
また、本発明において、１本の前記プレキャストコンクリート柱と、該１本のプレキャストコンクリート柱に対して、異なる２方向から接合される２本の前記プレキャストコンクリート梁とを有し、前記１本のプレキャストコンクリート柱、及び前記２本のプレキャストコンクリート梁を、本来の建て込み位置から水平方向にずらした状態で、それらを同時に本来の建て込み位置に向けて移動させることにより前記鉄筋を前記継手部材に挿入し、前記１本のプレキャストコンクリート柱及び前記２本のプレキャストコンクリート梁を本来の建て込み位置に建て込むこととしてもよい。
【００２０】
さらに、本発明は、プレキャストコンクリート梁とプレキャストコンクリート柱とを、プレキャストコンクリート梁又はプレキャストコンクリート柱の一方に設けられた鉄筋を、プレキャストコンクリート梁又はプレキャストコンクリート柱の他方に設けられた継手部材に挿入するプレキャストコンクリート部材の建て込み方法であって、前記プレキャストコンクリート梁及び前記プレキャストコンクリート柱の少なくとも何れか一方を、本来の建て込み位置から水平方向及び上下方向にずらした状態で、前記プレキャストコンクリート梁又は前記プレキャストコンクリート柱の一方に設けられた前記鉄筋の先端を、前記プレキャストコンクリート梁又は前記プレキャストコンクリート柱の他方に設けられた前記継手部材に挿入し、前記プレキャストコンクリート梁及び前記プレキャストコンクリート柱を、本体の建て込み位置に向けて移動させながら、前記鉄筋を前記継手部材に挿入していくことにより、前記プレキャストコンクリート梁及び前記プレキャストコンクリート柱を本来の建て込み位置に建て込み、この際に、前記プレキャストコンクリート柱の下方のコンクリート部材に設けられた鉄筋を、前記プレキャストコンクリート柱の下端に設けられた継手部材に挿入することを特徴とする。
【００２１】
本発明のプレキャストコンクリート部材の建て込み方法によれば、プレキャストコンクリート梁及びプレキャストコンクリート柱の少なくとも何れか一方を、本来の建て込み位置から水平方向及び上下方向にずらした状態で、プレキャストコンクリート梁又はプレキャストコンクリート柱の一方に設けられた鉄筋の先端を、プレキャストコンクリート梁又はプレキャストコンクリート柱の他方に設けられた継手部材に挿入する。
そして、プレキャストコンクリート梁及びプレキャストコンクリート柱を、本体の建て込み位置に向けて移動させながら鉄筋を継手部材に挿入していき、鉄筋を継手部材に完全に挿入することにより、プレキャストコンクリート梁及びプレキャストコンクリート柱を本来の建て込み位置に建て込むことができ、この際に、プレキャストコンクリート柱の下方のコンクリート部材に設けられた鉄筋を、プレキャストコンクリート柱の下端に設けられた継手部材に挿入することにより、プレキャストコンクリート柱をその下方のコンクリート部材に接続することができる。
【００２２】
さらに、本発明は、請求項１〜３の何れか１項に記載のプレキャストコンクリート部材の建て込み方法により構築されることを特徴とする。
【発明の効果】
【００２３】
以上、説明したように、本発明のプレキャストコンクリート部材の建て込み方法及びプレキャストコンクリート柱梁架構によれば、プレキャストコンクリート梁及びプレキャストコンクリート柱の少なくとも何れか一方を、本体の建て込み位置から水平方向、又は水平方向及び上下方向にずらした状態とし、この状態で、プレキャストコンクリート梁又はプレキャストコンクリート柱の一方に設けられた鉄筋の先端を、プレキャストコンクリート梁又はプレキャストコンクリート柱の他方に設けられた継手部材に挿入する。
そして、プレキャストコンクリート梁及びプレキャストコンクリート柱を、本体の建て込み位置に向けて移動させながら鉄筋を継手部材に挿入していき、鉄筋を継手部材に完全に挿入することにより、プレキャストコンクリート梁及びプレキャストコンクリート柱を本来の建て込み位置に建て込むことができる。
さらに、プレキャストコンクリート柱を貫通させた鉄筋を、プレキャストコンクリート柱の下方のコンクリート部材に設けられた継手部材に挿入することにより、又は、プレキャストコンクリート柱を貫通させたねじ鉄筋を、プレキャストコンクリート柱の下方のコンクリート部材に設けられた継手部材にねじ込むことにより、又は、プレキャストコンクリート柱の下方のコンクリート部材に設けられた鉄筋を、プレキャストコンクリート柱の下端に設けられた継手部材に挿入することにより、プレキャストコンクリート柱をその下方のコンクリート部材に接続できる。
従って、現場打ち工法によって建て込む必要がないので、型枠の設置、コンクリートの打設、型枠の撤去等の工事が不要となり、プレキャストコンクリート梁及びプレキャストコンクリート柱の建て込みに要する手間を大幅に削減することができる。
【図面の簡単な説明】
【００２４】
【図１】本発明によるプレキャストコンクリート部材の建て込み方法の第１の実施の形態の、最後に建て込まれる一つ手前のプレキャストコンクリート部材を水平方向にずらした状態に配置した説明図であって、（ａ）は平面図、（ｂ）は（ａ）の右側面図、（ｃ）は（ａ）の正面図である。
【図２】第１の実施の形態において、最後に建て込まれるプレキャストコンクリート部材を水平方向にずらした状態に配置した説明図であって、（ａ）は平面図、（ｂ）は（ａ）の右側面図、（ｃ）は（ａ）の正面図である。
【図３】第１の実施の形態において、最後に建て込まれる一つ手前のプレキャストコンクリート部材及び最後に建て込まれるプレキャストコンクリート部材を、本来の建て込み位置に向けて水平方向にずらした状態を示した説明図であって、（ａ）は平面図、（ｂ）は（ａ）の右側面図、（ｃ）は（ａ）の正面図である。
【図４】本発明によるプレキャストコンクリート部材の建て込み方法の第２の実施の形態の、最後に建て込まれる一つ手前のプレキャストコンクリート部材を本来の建て込み位置から水平方向にずらした状態に配置した説明図であって、（ａ）は平面図、（ｂ）は（ａ）の右側面図、（ｃ）は（ａ）の正面図である。
【図５】第２の実施の形態において、最後に建て込まれる一つ手前のプレキャストコンクリート部材及び最後に建て込まれるプレキャストコンクリート部材を本来の建て込み位置に向けて水平方向にずらした状態を示した説明図であって、（ａ）は平面図、（ｂ）は（ａ）の右側面図、（ｃ）は（ａ）の正面図である。
【図６】本発明によるプレキャストコンクリート部材の建て込み方法の第３の実施の、最後に建て込まれる一つ手前のプレキャストコンクリート部材を水平方向及び上下方向にずらした状態に配置した説明図であって、（ａ）は平面図、（ｂ）は（ａ）の右側面図、（ｃ）は（ａ）の正面図である。
【図７】第３の実施の形態において、最後に建て込まれるプレキャストコンクリート部材を水平方向及び上下方向にずらした状態に配置した説明図であって、（ａ）は平面図、（ｂ）は（ａ）の右側面図、（ｃ）は（ａ）の正面図である。
【図８】第３の実施の形態において、最後に建て込まれる一つ手前のプレキャストコンクリート部材及び最後に建て込まれるプレキャストコンクリート部材を、本来の建て込み位置に向けて水平方向及び上下方向にずらした状態を示した説明図であって、（ａ）は平面図、（ｂ）は（ａ）の右側面図、（ｃ）は（ａ）の正面図である。
【図９】機械式継手の断面図である。
【図１０】本発明によるプレキャストコンクリート部材の建て込み方法の適用箇所の変形例を示した説明図である。
【図１１】本発明によるプレキャストコンクリート部材の建て込み方法の適用箇所の変形例を示した説明図である。
【図１２】従来のプレキャストコンクリート部材の建て込み方法の一例を示した説明図である。
【発明を実施するための形態】
【００２５】
以下、図面を参照しながら本発明の実施の形態について説明する。図１〜図３には、本発明によるプレキャストコンクリート部材の建て込み方法の第１の実施の形態が示されている。本実施の形態のプレキャストコンクリート部材の建て込み方法は、プレキャスト柱梁架構１の最後に建て込むコーナー部において、最後に建て込む一つ手前のプレキャストコンクリート部材に対して、最後に建て込むプレキャストコンクリート部材を建て込むのに有効なものである。
【００２６】
本実施の形態では、最後に建て込む一つ手前のプレキャストコンクリート部材をプレキャストコンクリート梁（ＰＣ梁２−３、ＰＣ梁２−４）とし、最後に建て込むプレキャストコンクリート部材をプレキャストコンクリート柱（ＰＣ柱１−４）としている。
【００２７】
また、ＰＣ柱１−４として、柱本体１ａの上端部に仕口部１ｂが設けられ、仕口部１ｂの隣接する２つの側面から梁主筋部材７が突出するタイプのものを用い、ＰＣ梁２−３、２−４として、両端に梁主筋継手部材８が埋設されたタイプのものを用いている。
【００２８】
そして、図１に示すように、最後に建て込むコーナー部において、既に建て込まれているプレキャストコンクリート柱（ＰＣ柱１−１〜１−３）、及びプレキャストコンクリート梁（ＰＣ梁２−１、２−２）のうち、ＰＣ柱１−２及びＰＣ柱１−３の側方に、最後に建て込む一つ手前のプレキャストコンクリート部材としてのＰＣ梁２−３及びＰＣ梁２−４を水平方向にずらした状態に配置する。
【００２９】
具体的には、ＰＣ梁２−３及びＰＣ梁２−４を、本来の建て込み位置から水平方向の外方（図中矢印方向）に所定の角度回転させた状態に配置し、ＰＣ柱１−２及びＰＣ柱１−３の仕口部１ａの側面から突出している梁主筋部材７を、ＰＣ梁２−３及びＰＣ梁２−４の一端の梁主筋継手部材８内に、梁主筋７と梁主筋継手８とのクリアランスを利用して僅かに挿入する。
【００３０】
そして、図２に示すように、ＰＣ梁２−３及びＰＣ梁２−４の側方に、最後に建て込むプレキャストコンクリート部材としてのＰＣ柱１−４を水平方向にずらした状態に配置する。具体的には、ＰＣ柱１−４を、本来の建て込み位置から水平方向の外方にずらし、かつ、本体の建て込み位置に対して所定の角度回転させた状態に配置し、ＰＣ柱１−４の仕口部１ａの２つの側面から突出している梁主筋部材７のうち、図中上方の側面から突出している梁主筋部材７の軸線がＰＣ梁２−３の他端の梁主筋継手部材８の軸線の方向を向くように、ＰＣ梁２−３及びＰＣ柱１−４の角度を調整する。
【００３１】
そして、ＰＣ柱１−４をＰＣ梁２−３の方向に水平方向からスライドさせ、ＰＣ柱１−４の仕口部１ａの図中上方の側面から突出している梁主筋部材７の先端をＰＣ梁２−３の他端の梁主筋継手部材８内に僅かに挿入するとともに、ＰＣ柱１−４の図中左方の側面から突出している梁主筋部材７の先端を、ＰＣ梁２−４の他端の梁主筋継手部材８内に、それらのクリアランスを利用して僅かに挿入する。
【００３２】
そして、図３に示すように、ＰＣ梁２−３及びＰＣ梁２−４を本来の建て込み位置の方向（図中矢印方向）に回転させながら、ＰＣ柱１−４を本体の建て込み位置の方向に回転、かつスライドさせることにより、ＰＣ梁２−３及びＰＣ梁２−４の一端の梁主筋継手部材８内にＰＣ柱１−２及びＰＣ柱１−３の仕口部１ａの梁主筋部材７を完全に挿入し、ＰＣ梁２−３及びＰＣ梁２−４の他端の梁主筋継手部材８内にＰＣ柱１−４の仕口部１ａの梁主筋部材７を完全に挿入し、ＰＣ梁２−３、ＰＣ梁２−４、及びＰＣ柱１−４を本来に建て込み位置に建て込む。さらに、ＰＣ柱１−４の下端を、その下方のコンクリート部材（柱、仕口部、又は床）に、柱主筋部材と柱主筋継手部材との組み合わせを用いて接続する。なお、本実施の形態では、ＰＣ柱１−４の下端をＰＣ柱１−０１に接続している。
【００３３】
そして、ＰＣ梁２−３、及びＰＣ梁２−４、及びＰＣ柱１−４を本来の建て込み位置に建て込んだ後に、ＰＣ柱１−２とＰＣ梁２−３との接続部、ＰＣ柱１−３とＰＣ梁２−４との接続部、ＰＣ梁２−３とＰＣ柱１−４との接続部、及びＰＣ梁２−４とＰＣ柱１−４との接続部、ＰＣ柱１−４とＰＣ柱１−０１との接続部にそれぞれグラウトを注入することにより、それらを一体化することができる。
【００３４】
上記のように構成した本実施の形態のプレキャストコンクリート部材の建て込み方法にあっては、ＰＣ柱梁架構１の最後のコーナー部を建て込む場合に、最後に建て込む一つ手前のプレキャストコンクリート部材としてのＰＣ梁２−３及びＰＣ梁２−４、及び最後に建て込むプレキャストコンクリート部材としてのＰＣ柱１−４を、本来の建て込み位置から水平方向にずらした状態に位置し、この状態からＰＣ梁２−３、ＰＣ梁２−４、及びＰＣ柱１−４を本来の建て込み位置の方向に回転、かつスライドさせすることにより、ＰＣ梁２−３及びＰＣ梁２−４の梁主筋継手部材８にＰＣ柱１−４の梁主筋部材７を完全に挿入することができ、ＰＣ梁２−３、ＰＣ梁２−４、及びＰＣ柱１−４を本来の建て込み位置に建て込むことができる。
【００３５】
従って、従来のように、重量物である仕口部を、中継筋の２つのＰＣ梁の梁主筋継手内への挿入が完了するまで、仕口部の貫通孔と２つのＰＣ梁の梁主筋継手とを合わせた状態に支持し続けるような煩雑な作業が不要となり、仕口部の接合に要する手間を大幅に削減することができる。
【００３６】
また、現場打ち工法により、ＰＣ梁２−３及びＰＣ梁２−４とＰＣ柱１−４の仕口部１ｂとの間を接合する必要がないので、型枠工事、コンクリート打設工事等が不要となり、仕口部の接合に要する手間を大幅に削減することができる。
【００３７】
なお、前記の説明においては、ＰＣ柱１−２〜１−４の仕口部１ｂの側面から梁主筋部材７を突出させ、ＰＣ梁２−３〜２−４の両端に梁主筋継手部材８を設けたが、ＰＣ柱１−２〜１−４の仕口部１ｂに梁主筋継手部材を設け、ＰＣ梁２−３〜２−４の両端から梁主筋部材を突出させてもよい。
また、ＰＣ柱１−２〜１−４の仕口部１ｂに梁主筋継手部材を設け、ＰＣ梁２−３〜２−４の両端に梁主筋継手部材を設け、それらの梁主筋継手部材間に梁主筋部材を挿入することにより、ＰＣ柱１−２〜１−４の仕口部１ｂにＰＣ梁２−３〜２−４を接続してもよい。
さらに、前記の説明における梁主筋部材７と梁主筋継手部材８との接続には、鉄筋とスリーブとの組み合わせの他、図９に示すような機械式継手１０を用いることもできる。この機械式継手１０は、ねじ付きの鉄筋１１、１３とナット１５とを備えたものであって、互いに接続する一方のコンクリート部材に設けたねじ付きの鉄筋１１と、他方のコンクリート部材に設けたねじ付きの鉄筋１３とをナット１５によって連結し、ロックナット１６、１７によって連結した状態に固定することにより、一方のコンクリート部材と他方のコンクリート部材とを接続することができる。なお、機械式継手１０を用いた場合には、ねじ付きの鉄筋１１、１３とナット１５との接続部にグラウトを注入する必要がなくなる。
【００３８】
図４及び図５には、本発明によるプレキャストコンクリート部材の建て込み方法の第２の実施の形態が示されている。本実施の形態のプレキャストコンクリート部材の建て込み方法は、ＰＣ柱梁架構１の最後に建て込むコーナー部を構成するＰＣ柱１−２、ＰＣ柱１−３、及びＰＣ柱１−４として、仕口部１ｂにスリーブ９が埋設されたタイプのものを用い、ＰＣ梁２−３、ＰＣ梁２−４として、一端から梁主筋部材７が突出し、他端に梁主筋継手部材８が埋設されたタイプのものを用いている。
【００３９】
そして、図４に示すように、最後に建て込むコーナー部において、既に建て込まれているプレキャストコンクリート柱（ＰＣ柱１−１〜１−３）、及びプレキャストコンクリート梁（ＰＣ梁２−１、ＰＣ梁２−２）のうち、ＰＣ柱１−２及びＰＣ柱１−３の側方に、最後に建て込む一つ手前のプレキャストコンクリート部材としてのＰＣ梁２−３及びＰＣ梁２−４を、水平方向にずらし、かつスリーブ９と梁主筋部材７との軸線を一致させた状態で配置する。
【００４０】
そして、ＰＣ梁２−３を図中矢印方向（ＰＣ柱１−２の方向）にスライドさせて、ＰＣ梁２−３の一端の梁主筋部材７をＰＣ柱１−２の仕口部１ｂのスリーブ９を挿通させて、ＰＣ柱１−２の図中上方のＰＣ梁２−０１の梁主筋継手部材８内に挿入し、ＰＣ梁２−４を図中矢印方向（ＰＣ柱１−３の方向）にスライドさせて、ＰＣ梁２−４の一端の梁主筋部材７をＰＣ柱１−３の仕口部１ｂのスリーブ９を挿通させて、ＰＣ柱１−３の図中左方のＰＣ梁２−０２の梁主筋継手部材８内に挿入し、ＰＣ梁２−３及びＰＣ梁２−４を本来の建て込み位置に建て込む。
【００４１】
そして、図５に示すように、ＰＣ梁２−３、ＰＣ梁２−４の他端にＰＣ柱１−４を上方から落とし込み、ＰＣ柱１−４の仕口部１ｂのスリーブ９−１とＰＣ梁２−３及びＰＣ梁２−４の梁主筋継手部材８との間に梁主筋部材（図示せず）を挿入し、ＰＣ柱１−４のスリーブ９−２内に上方から柱主筋部材５を挿入し、下方のコンクリート部材（柱、仕口部、又は床）の柱主筋継手部材６−１内に挿入する。なお、本実施の形態においては、下方のコンクリート部材をＰＣ柱１−０１とし、ＰＣ柱１−０１の仕口部の柱主筋継手部材６−１内に柱主筋継手部材６−１を挿入している。
【００４２】
そして、ＰＣ柱１−２とＰＣ梁２−３との接続部、ＰＣ柱１−３とＰＣ梁２−４との接続部、ＰＣ梁２−３及びＰＣ梁２−４とＰＣ柱１−４との接続部、及びＰＣ柱１−４とＰＣ柱１−０１との接続部にグラウトを注入することにより、ＰＣ柱１−２とＰＣ梁２−３、ＰＣ柱−１３とＰＣ梁２−４、ＰＣ梁２−３及びＰＣ梁２−４とＰＣ柱１−４、ＰＣ柱１−４とＰＣ柱１−０１とを一体化することができる。
【００４３】
そして、本実施の形態に示すものにあっても、前記第１の実施の形態に示すものと同様の作用効果を奏する。
なお、本実施の形態においても、梁主筋部材７と梁主筋継手部材８との接続には、鉄筋とスリーブとの組み合わせの他、図９に示すような機械式継手１０を用いることもでき、機械式継手１０を用いた場合には、ねじつきの鉄筋１１、１３とナット１５との接続部にグラウトを注入する必要がなくなる。
【００４４】
図６〜図８には、本発明によるプレキャストコンクリート部材の建て込み方法の第３の実施の形態が示されている。本実施の形態のプレキャストコンクリート部材の建て込み方法は、ＰＣ柱１−４として、柱本体１ａの上端部に仕口部１ｂが設けられ、仕口部１ｂの隣接する２つの側面から梁主筋部材７が突出し、上面から柱主筋部材５が突出し、柱本体１ａの下端部に柱主筋継手部材６が埋設されたタイプのものを用い、ＰＣ梁２−３、及びＰＣ梁２−４として、両端に梁主筋継手部材８が埋設されたタイプのものを用いている。
【００４５】
そして、図６に示すように、最後に建て込むコーナー部において、既に建て込まれているプレキャストコンクリート柱（ＰＣ柱１−１〜１−３）、及びプレキャストコンクリート梁（ＰＣ梁２−１、２−２）のうち、ＰＣ柱１−２及びＰＣ柱１−３の側方に、最後に建て込む一つ手前のプレキャストコンクリート部材としてのＰＣ梁２−３及びＰＣ梁２−４を、水平方向及び上方にずらした状態に配置する。
【００４６】
具体的には、ＰＣ梁２−３及びＰＣ梁２−４を、本来の建て込み位置から水平方向の外方、及び上方（図中矢印方向）に所定の角度回転させた状態に配置し、ＰＣ柱１−２及びＰＣ柱１−３の仕口部１ｂの側面から突出している梁主筋部材７を、ＰＣ梁２−３及びＰＣ梁２−４の一端の梁主筋継手部材８内に、梁主筋部材７と梁主筋継手部材８とのクリアランスを利用して僅かに挿入させる。
【００４７】
そして、図７に示すように、ＰＣ梁２−３及びＰＣ梁２−４の側方に、最後に建て込むプレキャストコンクリート部材としてのＰＣ柱１−４を水平方向及び上方にずらした状態に配置する。具体的には、ＰＣ柱１−４を、本来の建て込み位置から上方に所定の距離ずらし、かつ、本体の建て込み位置に対して所定の角度回転させた状態に配置し、ＰＣ柱１−４の２つの側面から突出している梁主筋部材７のうち、図中上方の側面から突出している梁主筋部材７の軸線がＰＣ梁２−３の他端の梁主筋継手部材８の軸線方向を向くように、ＰＣ梁２−３及びＰＣ柱１−４の角度を調整する。
【００４８】
そして、ＰＣ柱１−４をＰＣ梁２−３の方向に水平方向からスライドさせて、ＰＣ柱１−４の図中上方の側面から突出している梁主筋部材７の先端をＰＣ梁２−３の他端の梁主筋継手部材８内に僅かに挿入するとともに、ＰＣ柱１−４の図中左方の側面から突出している梁主筋部材７の先端を、ＰＣ梁２−４の他端の梁主筋継手部材８内に、それらのクリアランスを利用して僅かに挿入する。
【００４９】
そして、図８に示すように、ＰＣ梁２−３及びＰＣ梁２−４を本来の建て込み位置の方向に回転させながら、ＰＣ柱１−４を本体の建て込み位置の方向に回転、かつスライドさせるとともに、ＰＣ梁２−３、ＰＣ梁２−４、及びＰＣ柱１−４を本来の建て込み位置に落とし込むことにより、ＰＣ梁２−３及びＰＣ梁２−４の一端の梁主筋継手部材８内にＰＣ柱１−２及びＰＣ柱１−３の梁主筋部材７を完全に挿入し、ＰＣ梁２−３及びＰＣ梁２−４の他端の梁主筋継手部材８内にＰＣ柱１−４の側面の梁主筋部材７を完全に挿入し、ＰＣ柱１−４の下端の柱主筋継手部材６内に、その下方のコンクリート部材（柱、仕口部、又は床）の柱主筋部材５を挿入し、ＰＣ梁２−３、ＰＣ梁２−４、及びＰＣ柱１−４を本来の建て込み位置に建て込む。なお、本実施の形態においては、ＰＣ柱１−４の下方の部材をＰＣ柱１−０１とし、その上端の柱主筋部材５をＰＣ柱１−４の下端の柱主筋継手部材６内に挿入している。
【００５０】
そして、ＰＣ梁２−３、及びＰＣ梁２−４、及びＰＣ柱１−４を本来の建て込み位置に建て込んだ後に、ＰＣ柱１−２とＰＣ梁２−３との接続部、ＰＣ柱１−３とＰＣ梁２−４との接続部、ＰＣ梁２−３とＰＣ柱１−４との接続部、ＰＣ梁２−４とＰＣ柱１−４との接続部、ＰＣ柱１−４とＰＣ柱１−０１との接続部にそれぞれグラウトを注入することにより、それらを一体化することができる。
【００５１】
そして、本実施の形態においても、前記第１の実施の形態に示すものと同様の作用効果を奏する。
【００５２】
なお、前記の説明においては、ＰＣ柱１−２〜１−４の仕口部１ｂの側面から梁主筋部材７を突出させ、ＰＣ梁２−３〜２−４の両端に梁主筋継手部材８を設けたが、ＰＣ柱１−２〜１−４の仕口部１ｂに梁主筋継手部材を設け、ＰＣ梁２−３〜２−４の両端から梁主筋部材を突出させてもよい。
また、本実施の形態においても、梁主筋部材７と梁主筋継手部材８との接続、及び柱主筋部材５と柱主筋継手部材６との接続には、鉄筋とスリーブとの組み合わせの他、図９に示すような機械式継手１０を用いることもでき、機械式継手１０を用いた場合には、ねじつきの鉄筋１１、１３とナット１５との接続部にグラウトを注入する必要がなくなる。
【００５３】
なお、前記各実施の形態においては、ＰＣ柱梁架構１の最後に建て込むコーナー部に本発明を適用したが、ＰＣ柱梁架構１の他のコーナー部の建て込みに本発明を適用してもよい。また、ＰＣ柱梁架構１のコーナー部に限らず、図１０に示すように、ＰＣ柱１−５に対してＰＣ梁２−５、２−６、２−７を三方向から接続するＴ形状の部分に本発明を適用することもできる。さらに、コーナー部及びＴ形状の部分は、図１１に示すように、ＰＣ梁２−８、２−９とＰＣ柱１−６とのなす角度が直角以外の角度の箇所にも本発明を適用することができる。
【符号の説明】
【００５４】
１  ＰＣ柱梁架構
１−０１、１−１〜１−５  ＰＣ柱
１ａ  柱本体
１ｂ  仕口部
２−０１〜２−０２、２−１〜２−７  ＰＣ梁
５  柱主筋部材
６、６−１  柱主筋継手部材
７  梁主筋部材
８  梁主筋継手部材
９−１、９−２  スリーブ
１０  機械式継手
１１、１３  鉄筋
１２、１４  ねじ
１５  ナット
１６、１７  ロックナット
【図１】
0005482494.tif 000002
【図２】
0005482494.tif 000003
【図３】
0005482494.tif 000004
【図４】
0005482494.tif 000005
【図５】
0005482494.tif 000006
【図６】
0005482494.tif 000007
【図７】
0005482494.tif 000008
【図８】
0005482494.tif 000009
【図９】
0005482494.tif 000010
【図１０】
0005482494.tif 000011
【図１１】
0005482494.tif 000012
【図１２】
0005482494.tif 000013